(57)【要約】【課題】光送信機が切り替わるまでに、切替後の光送信機に応じたタップ係数の設定が可能な波形整形方法及び光受信機を提供すること。【解決手段】第１の光送信機２０ａから受信する受信信号が第１のＥＤＣ回路１０ａによって波形整形されセレクタ１２を介して外部に出力されている時間内に、第１の光送信機２０ａから時分割方式に基づいて受信信号の切り替わる第２の光送信機２０ｂに対応し記憶装置１６に格納されたタップ係数を第２のＥＤＣ回路１０ｂに設定し、第１の光送信機２０ａから第２の光送信機２０ｂに受信信号が切り替わると、第２のＥＤＣ回路１０ｂからの信号をセレクタ１２から外部に出力するようセレクタ１２に指示するコントローラを備える。【選択図】図１
2009094894.tif 000002
【特許請求の範囲】
【請求項１】
第１及び第２の光送信機から時分割方式に基づいて受信する受信信号の波形を整形し該受信信号の分散を補償するための分散補償回路と、予めメモリに格納され、前記第１及び第２の光送信機のそれぞれに対応し、前記分散補償回路に設定される第１及び第２のタップ係数と、を用いた波形整形方法であって、
前記第１の光送信機から前記第２の光送信機に前記時分割方式に基づいて受信信号の切り替わる切替時間内に、切替先となる前記第２の光送信機に対応する前記第２のタップ係数を前記分散補償回路に設定する第１のステップと、
前記第１の光送信機から前記第２の光送信機に受信信号が切り替わると、前記第２の光送信機から受信する受信信号の波形を前記分散補償回路によって整形して出力する第２のステップと
を有することを特徴とする波形整形方法。
【請求項２】
第１及び第２の光送信機から時分割方式に基づいて受信する受信信号の波形を整形し該受信信号の分散を補償するための第１及び第２の分散補償回路と、予めメモリに格納され、前記第１及び第２の光送信機のそれぞれに対応し、前記第１及び第２の分散補償回路に設定される第１及び第２のタップ係数と、を用いた波形整形方法であって、
前記第１の光送信機から受信する受信信号が前記第１の分散補償回路によって波形整形されて外部に出力されている時間内に、前記第１の光送信機から前記時分割方式に基づいて受信信号の切り替わる前記第２の光送信機に対応した前記第２のタップ係数を前記第２の分散補償回路に設定する第１のステップと、
前記第１の光送信機から前記第２の光送信機に受信信号が切り替わると、前記第２の光送信機から受信する受信信号の波形を前記第２の分散補償回路によって整形して出力する第２のステップと
を有することを特徴とする波形整形方法。
【請求項３】
第１及び第２の光送信機と時分割方式に基づいて通信する光受信機であって、
前記第１及び第２の光送信機から受信する受信信号の波形を整形して該受信信号の分散を補償し、この分散補償後の信号を出力する分散補償回路と、
前記第１及び第２の光送信機のそれぞれに対応し前記分散補償回路に設定される第１及び第２のタップ係数を格納するメモリと、
前記第１の光送信機から前記第２の光送信機に前記時分割方式に基づいて受信信号の切り替わる切替時間内に、切替先となる前記第２の光送信機に対応する前記第２のタップ係数を前記分散補償回路に設定するコントローラと
を備えることを特徴とする光受信機。
【請求項４】
時分割方式に基づいて第１及び第２の光送信機と通信する光受信機であって、
前記第１及び第２の光送信機から受信する受信信号の波形を整形して該受信信号の分散を補償し、この分散補償後の信号を出力する第１及び第２の分散補償回路と、
前記第１及び第２の光送信機のそれぞれに対応し前記第１及び第２の分散補償回路に設定される第１及び第２のタップ係数を格納するメモリと、
前記第１及び第２の分散補償回路からの信号のうち何れか一方を外部に出力するセレクタと、
前記第１の光送信機から受信する受信信号が前記第１の分散補償回路によって波形整形され前記セレクタを介して外部に出力されている時間内に、前記第１の光送信機から前記時分割方式に基づいて受信信号の切り替わる前記第２の光送信機に対応した前記第２のタップ係数を前記第２の分散補償回路に設定し、前記第１の光送信機から前記第２の光送信機に受信信号が切り替わると、前記第２の分散補償回路からの信号を前記セレクタから外部に出力するよう該セレクタに指示するコントローラと
を備えることを特徴とする光受信機。
【発明の詳細な説明】
【技術分野】
【０００１】
本発明は、波形整形方法及び光受信機に関する。
【背景技術】
【０００２】
近時、一又は複数の基地局に対し、光カプラ等を用いて多数の端末を接続し高速な光回線を安価に提供するための技術（PON : Passive Optical Network）が開発されている。端末は多数なので、端末の光送信機の具備するレーザダイオードには比較的廉価なマルチモード発振レーザ（FP-LD : Fabry Perot-Laser Diode）が用いられる。しかし、このＦＰ−ＬＤを長距離伝送に用いた場合、分散による波形劣化が顕著となる。最近、分散による波形劣化を電気的に補償するためのＥＤＣ回路（Electronic Dispersion Compensation）回路を搭載する基地局の光受信機が特許文献１に開示されている。このようなＥＤＣ回路は、波形劣化を補償するためのタップ係数を、通信中の端末に応じて最適化する。基地局と通信する端末の切り替えが行われる場合には、切り替え後の端末に対応するように光受信機のタップ係数が最適化される。
【特許文献１】米国特許出願公開第２００６／００９３３７９号明細書
【発明の開示】
【発明が解決しようとする課題】
【０００３】
しかし、タップ係数を最適化するために要する時間は、端末からの受信信号の切り替えに要する時間に比較して長い。このため、端末の切り替え後もタップ係数の調整が必要になる等、端末からの受信信号の品質劣化を招く虞がある。そこで本発明の目的は、光送信機が切り替わるまでに、切替後の光送信機に応じたタップ係数の設定が可能な波形整形方法及び光受信機を提供することである。
【課題を解決するための手段】
【０００４】
本発明は、第１及び第２の光送信機から時分割方式に基づいて受信する受信信号の波形を整形し該受信信号の分散を補償するための分散補償回路と、予めメモリに格納され、前記第１及び第２の光送信機のそれぞれに対応し、前記分散補償回路に設定される第１及び第２のタップ係数と、を用いた波形整形方法であって、前記第１の光送信機から前記第２の光送信機に前記時分割方式に基づいて受信信号の切り替わる切替時間内に、切替先となる前記第２の光送信機に対応する前記第２のタップ係数を前記分散補償回路に設定する第１のステップと、前記第１の光送信機から前記第２の光送信機に受信信号が切り替わると、前記第２の光送信機から受信する受信信号の波形を前記分散補償回路によって整形して出力する第２のステップとを有することを特徴とする。
【０００５】
本発明は、第１及び第２の光送信機と時分割方式に基づいて通信する光受信機であって、前記第１及び第２の光送信機から受信する受信信号の波形を整形して該受信信号の分散を補償し、この分散補償後の信号を出力する分散補償回路と、前記第１及び第２の光送信機のそれぞれに対応し前記分散補償回路に設定される第１及び第２のタップ係数を格納するメモリと、前記第１の光送信機から前記第２の光送信機に前記時分割方式に基づいて受信信号の切り替わる切替時間内に、切替先となる前記第２の光送信機に対応する前記第２のタップ係数を前記分散補償回路に設定するコントローラとを備えることを特徴とする。
【０００６】
本発明の波形整形方法と光受信機とによれば、第１及び第２の光送信機毎にタップ係数が予めメモリに格納されているので、分散補償回路に対するタップ係数の設定が光送信機に応じて比較的短時間に行える。従って、第１の光送信機から第２の光送信機に受信信号を切り替えるための切替時間内であっても、分散補償回路に対するタップ係数の設定が光送信機に応じて可能となる。このように、光送信機に応じたタップ係数の切り替えが光送信機からの受信信号の切替時間内に行えるので、受信信号の切り替え後のタップ係数の調整が不要となるか若しくは軽減され、光送信機からの受信信号の品質劣化が回避できる。
【０００７】
本発明は、第１及び第２の光送信機から時分割方式に基づいて受信する受信信号の波形を整形し該受信信号の分散を補償するための第１及び第２の分散補償回路と、予めメモリに格納され、前記第１及び第２の光送信機のそれぞれに対応し、前記第１及び第２の分散補償回路に設定される第１及び第２のタップ係数と、を用いた波形整形方法であって、前記第１の光送信機から受信する受信信号が前記第１の分散補償回路によって波形整形されて外部に出力されている時間内に、前記第１の光送信機から前記時分割方式に基づいて受信信号の切り替わる前記第２の光送信機に対応した前記第２のタップ係数を前記第２の分散補償回路に設定する第１のステップと、前記第１の光送信機から前記第２の光送信機に受信信号が切り替わると、前記第２の光送信機から受信する受信信号の波形を前記第２の分散補償回路によって整形して出力する第２のステップとを有することを特徴とする。
【０００８】
本発明は、時分割方式に基づいて第１及び第２の光送信機と通信する光受信機であって、前記第１及び第２の光送信機から受信する受信信号の波形を整形して該受信信号の分散を補償し、この分散補償後の信号を出力する第１及び第２の分散補償回路と、前記第１及び第２の光送信機のそれぞれに対応し前記第１及び第２の分散補償回路に設定される第１及び第２のタップ係数を格納するメモリと、前記第１及び第２の分散補償回路からの信号のうち何れか一方を外部に出力するセレクタと、前記第１の光送信機から受信する受信信号が前記第１の分散補償回路によって波形整形され前記セレクタを介して外部に出力されている時間内に、前記第１の光送信機から前記時分割方式に基づいて受信信号の切り替わる前記第２の光送信機に対応した前記第２のタップ係数を前記第２の分散補償回路に設定し、前記第１の光送信機から前記第２の光送信機に受信信号が切り替わると、前記第２の分散補償回路からの信号を前記セレクタから外部に出力するよう該セレクタに指示するコントローラとを備えることを特徴とする。
【０００９】
本発明の波形整形方法と光受信機とによれば、二つの分散補償回路（第１及び第２の分散補償回路）が用いられる。よって、光信号を第１の光送信機から時分割方式に基づいて受信している時であって、第１の分散補償回路がこの光信号を分散補償して外部に出力している最中であっても、メモリに予め格納され次に受信する第２の光送信機に応じたタップ係数が第２の分散補償回路に設定可能となる。従って、第１の光送信機からの光信号の受信が時分割方式に基づいて終了した時点で、第１の分散補償回路から第２の分散補償回路に信号の出力を切り替えれば、受信信号の切り替え後のタップ係数の調整が不要となるか若しくは軽減され、光送信機からの受信信号の品質劣化が回避できる。
【発明の効果】
【００１０】
本発明によれば、光送信機が切り替わるまでに、切替後の光送信機に応じたタップ係数の設定が可能な波形整形方法及び光受信機が提供できる。
【発明を実施するための最良の形態】
【００１１】
以下、図面を参照して、本発明に係る好適な実施形態について詳細に説明する。なお、図面の説明において、可能な場合には、同一要素には同一符号を付し、重複する説明を省略する。図１を参照して、実施形態に係る光受信機２の構成を説明する。光受信機２は、ＷＤＭ４、ＰＤ６、ＴＩＡ８、第１のＥＤＣ回路１０ａ、第２のＥＤＣ回路１０ｂ、セレクタ１２、コントローラ１４、記憶装置１６、ＬＤドライバ１８及びＬＤ１９を備える。光受信機２は、光ファイバＦ１を介して光カプラ２６に接続され、光カプラ２６は、第１の光送信機２０ａ及び第２の光送信機２０ｂを含む複数の光送信機に光ファイバを介して接続される。このような第１の光送信機２０ａ及び第２の光送信機２０ｂを含む複数の光送信機は、何れも、ＬＤドライバ２２及びＦＰ型ＬＤ２４を備える。
【００１２】
光ファイバＦ１〜光ファイバＦ３は、何れもシングルモードファイバであり、第１の光送信機２０ａ及び第２の光送信機２０ｂ以外の他の光送信機と光カプラ２６とを接続する他の光ファイバも、シングルモードファイバである。第１の光送信機２０ａは光ファイバＦ２を介して光カプラ２６に接続され、第２の光送信機２０ｂは光ファイバＦ３を介して光カプラ２６に接続される。光受信機２は、第１の光送信機２０ａ及び第２の光送信機２０ｂを含む複数の光送信機と時分割方式に基づいて通信する。より具体的には、光受信機２は、第１の光送信機２０ａ及び第２の光送信機２０ｂを含む複数の光送信機からの光信号を、時分割方式に基づいて受信する。
【００１３】
ＷＤＭ４（WDM : WavelengthDivision Multiplexing）は、波長分割多重方式フィルタであり、光ファイバＦ１を介して光カプラ２６に接続される。また、ＷＤＭ４は、ＰＤ６及びＬＤ１９に接続される。ＷＤＭ４は、第１の光送信機２０ａ及び第２の光送信機２０ｂを含む複数の光送信機からの光信号を光ファイバＦ１の出力光から抽出してＰＤ６に送信する。ＷＤＭ４は、ＬＤ１９からの出力光を、所定波長にフィルタリングした後に光ファイバＦ１を介して光カプラ２６に出力する。
【００１４】
ＰＤ６は、ＷＤＭ４及びＴＩＡ８に接続されたフォトダイオードであり、ＷＤＭ４からの光信号を受けて、この光信号の強度に応じた電流信号をＴＩＡ８に出力する。ＴＩＡ８は、ＰＤ６と、第１のＥＤＣ回路１０ａ及び第２のＥＤＣ回路１０ｂとに接続されたトランスインピーダンスアンプであり、ＰＤ６から入力される電流信号を、電圧信号に変換して第１のＥＤＣ回路１０ａ及び第２のＥＤＣ回路１０ｂに出力する。
【００１５】
第１のＥＤＣ回路１０ａと第２のＥＤＣ回路１０ｂとは同様の構成を有する電子式分散補償回路であり、第１のＥＤＣ回路１０ａ及び第２のＥＤＣ回路１０ｂは、何れも、ＴＩＡ８及びセレクタ１２に接続される。第１のＥＤＣ回路１０ａ及び第２のＥＤＣ回路１０ｂは、何れも、複数のタップ１１を含むトランスバーサルフィルタを有し、複数のタップ１１にはそれぞれタップ係数が設定される。第１のＥＤＣ回路１０ａ及び第２のＥＤＣ回路１０ｂは、何れも、第１の光送信機２０ａ及び第２の光送信機２０ｂを含む複数の光送信機から光ファイバＦ１を介して受信する光信号（受信信号）の分散を光送信機（光送信機の通信距離や回線状態）に応じて補償できるように、タップ係数の最適化（調整）が可能である。第１のＥＤＣ回路１０ａ及び第２のＥＤＣ回路１０ｂは、何れも、分散補償後の補償済み信号をセレクタ１２に出力する。セレクタ１２は、第１のＥＤＣ回路１０ａ及び第２のＥＤＣ回路１０ｂに接続されており、第１のＥＤＣ回路１０ａ及び第２のＥＤＣ回路１０ｂからそれぞれ出力される補償済み信号のうち何れか一方の信号を外部に出力する。
【００１６】
コントローラ１４は、第１のＥＤＣ回路１０ａ、第２のＥＤＣ回路１０ｂ、セレクタ１２及びＬＤドライバ１８を制御する。コントローラ１４は、光カプラ２６に接続された第１の光送信機２０ａや第２の光送信機２０ｂ等の複数の光送信機のそれぞれに対し、時分割方式に基づく送信期間の割り当てを行う。すなわち、コントローラ１４は、ＬＤドライバ１８を制御し、時分割方式に基づく送信期間の開始タイミング及び終了タイミングを示す指示信号を、ＬＤ１９から、ＷＤＭ４、光ファイバＦ１及び光カプラ２６を介して、第１の光送信機２０ａ等の複数の光送信機に出力する。光カプラ２６に接続された第１の光送信機２０ａ等の複数の光送信機のそれぞれは、光受信機２からの指示信号により指定された送信期間内に光信号を出力する。
【００１７】
コントローラ１４は、記憶装置１６に格納された第１のタップ係数データ１６ａや第２のタップ係数データ１６ｂ等のタップ係数を、第１のＥＤＣ回路１０ａや第２のＥＤＣ回路１０ｂに設定する。コントローラ１４は、第１のＥＤＣ回路１０ａ及び第２のＥＤＣ回路１０ｂからそれぞれ出力される補償済み信号のうちセレクタ１２から外部に出力する信号を、時分割方式に基づいてセレクタ１２に指示する。
【００１８】
ここで、第１のタップ係数データ１６ａは、第１の光送信機２０ａ（第１の光送信機２０ａの通信距離等）に対応したタップ係数であり、第２のタップ係数データ１６ｂは、第２の光送信機２０ｂ（第２の光送信機２０ｂの通信距離等）に対応したタップ係数である。記憶装置１６には、第１のタップ係数データ１６ａ及び第２のタップ係数データ１６ｂ以外にも、光カプラ２６に接続された複数の光送信機のそれぞれに対応した複数のタップ係数情報を格納する。
【００１９】
コントローラ１４は、例えば、第１の光送信機２０ａから第２の光送信機２０ｂに時分割方式に基づき受信信号が切り替わる場合を考えると、第１の光送信機２０ａから受信する受信信号が第１のＥＤＣ回路１０ａによって波形整形されセレクタ１２を介して外部に出力されている時間内において、第１の光送信機２０ａから時分割方式に基づいて受信信号の切り替わる第２の光送信機２０ｂに対応した第２のタップ係数データ１６ｂのタップ係数を第２のＥＤＣ回路１０ｂに設定する。そして、コントローラ１４は、第１の光送信機２０ａから第２の光送信機２０ｂに受信信号が切り替わると、第２のＥＤＣ回路１０ｂからの補償済み信号をセレクタ１２から外部に出力するようセレクタ１２に指示する。
【００２０】
次に、図２を参照して、光受信機２の動作を説明する。まず、ステップＳ１において、光受信機２が第１の光送信機２０ａと通信中（第１の光送信機２０ａから光信号を受信中）の場合に、コントローラ１４の制御によって、第１のタップ係数データ１６ａのタップ係数の設定された第１のＥＤＣ回路１０ａからの補償済み信号が、セレクタ１２から出力されているとする（ステップＳ１）。ステップＳ１の後、ステップＳ２において、コントローラ１４は、時分割方式に基づく第１の光送信機２０ａとの通信（第１の光送信機２０ａからの光信号の受信）の終了前であり、第１の光送信機２０ａから受信する受信信号が第１のＥＤＣ回路１０ａによって波形整形されて外部に出力されている時間内に、受信信号の切替先となる（時分割方式に基づいて第１の光送信機２０ａから受信信号の切り替わる）第２の光送信機２０ｂのタップ係数（第２のタップ係数データ１６ｂのタップ係数）を第２のＥＤＣ回路１０ｂに設定する（ステップＳ２）。
【００２１】
ステップＳ２の後、コントローラ１４は、第２の光送信機２０ｂへの切替時に（第１の光送信機２０ａから第２の光送信機２０ｂに受信信号が切り替わると）、セレクタ１２から出力する信号を、第２のＥＤＣ回路１０ｂからの補償済み信号に切り替え（ステップＳ３）、第２の光送信機２０ｂとの通信（第２の光送信機２０ｂからの光信号の受信）が開始される（ステップＳ４）。この場合、第２のＥＤＣ回路１０ｂは、第２の光送信機２０ｂから受信する受信信号の波形を整形してセレクタ１２に出力する。
【００２２】
以上説明したように、光受信機２は、二つのＥＤＣ回路（第１のＥＤＣ回路１０ａ及び第２のＥＤＣ回路１０ｂ）を備える。よって、光信号を第１の光送信機２０ａから時分割方式に基づいて受信している時であって、第１のＥＤＣ回路１０ａがこの光信号を分散補償してセレクタ１２を介して外部に出力している最中であっても、記憶装置１６に予め格納され次に受信する第２の光送信機２０ｂに応じたタップ係数が第２のＥＤＣ回路１０ｂに設定可能となる。従って、第１の光送信機２０ａからの光信号の受信が時分割方式に基づいて終了した時点で、セレクタ１２から出力する信号を第１のＥＤＣ回路１０ａから第２のＥＤＣ回路１０ｂに切り替えれば、受信信号の切り替え後のタップ係数の調整が不要となるか若しくは軽減される。このため、第１の光送信機２０ａ及び第２の光送信機２０ｂ等の光送信機からの受信信号の品質劣化が回避できる。
【００２３】
なお、光受信機２は、第１のＥＤＣ回路１０ａ及び第２のＥＤＣ回路１０ｂを備えるとしたが、これに限らず、三つ以上のＥＤＣ回路を備えてもよい。これらの三つ以上のＥＤＣ回路は、何れも、ＴＩＡ８及びセレクタ１２に接続されており、セレクタ１２は、コントローラ１４の制御に応じて、これらの三つ以上のＥＤＣ回路からの信号の何れか一の信号のみを外部に出力する。この場合、コントローラ１４は、複数のＥＤＣ回路のそれぞれに対し、時分割方式に基づいて順次切り替えられる複数の光送信機に応じたタップ係数を設定する。コントローラ１４は、これら三つ以上のＥＤＣ回路からの信号のそれぞれを、時分割方式に基づいて順次出力するようセレクタ１２に指示する。
【００２４】
（変形例）なお、光受信機２は、図２のフローチャートに替えて、図３のフローチャートを実行してもよい。以下、図３のフローチャートを説明する。まず、ステップＳ５において、光受信機２が第１の光送信機２０ａと通信中（第１の光送信機２０ａからの光信号の受信中）の場合に、コントローラ１４の制御によって、第１のタップ係数データ１６ａのタップ係数の設定された第１のＥＤＣ回路１０ａからの補償済み信号が外部に出力されているとする（ステップＳ５）。ステップＳ５の後、ステップＳ６において、コントローラ１４は、第１の光送信機２０ａから第２の光送信機２０ｂに時分割方式に基づいて受信信号が切り替わる切替時間内に、切替先となる第２の光送信機２０ｂに対応するタップ係数（第２のタップ係数データ１６ｂのタップ係数）を第１のＥＤＣ回路１０ａに設定する（ステップＳ６）。この切替時間とは、第１の光送信機２０ａからの信号の送信が停止してから、第２の光送信機２０ｂからの信号の送信が開始するまでの時間であり、第１の光送信機２０ａ及び第２の光送信機２０ｂの何れからも光受信機２が信号を受信しない時間である。ステップＳ６の後、第２の光送信機２０ｂとの通信（第２の光送信機２０ｂからの光信号の受信）が開始されると、第２の光送信機２０ｂから受信する受信信号の波形が第１のＥＤＣ回路１０ａによって整形されて外部に出力される（ステップＳ７）。
【００２５】
本変形例の場合、第２のＥＤＣ回路１０ｂ及びセレクタ１２は使用されないので、光受信機２は、第２のＥＤＣ回路１０ｂ及びセレクタ１２を備えていなくてもよい。しかし、光受信機２が第２のＥＤＣ回路１０ｂ及びセレクタ１２を備えている場合、コントローラ１４は、第１のＥＤＣ回路１０ａからの信号のみを常に外部に出力するようセレクタ１２を制御する。
【００２６】
本変形例であっても、本実施形態と同様に、複数の光送信機毎にタップ係数が予め記憶装置１６に格納されているので、第１のＥＤＣ回路１０ａに対し、第１の光送信機２０ａや第２の光送信機２０ｂ等の光送信機に応じたタップ係数の設定が比較的短時間に行える。従って、第１の光送信機２０ａから第２の光送信機２０ｂに受信信号を切り替えるための切替時間が比較的短くても、この時間内に第１のＥＤＣ回路１０ａに対する第２の光送信機２０ｂに応じたタップ係数の設定が可能となる。このように、第２の光送信機２０ｂに応じたタップ係数の切り替えが第１の光送信機２０ａから第２の光送信機２０ｂへの受信信号の切替時間内に行えるので、受信信号の切り替え後のタップ係数の調整が不要となるか若しくは軽減される。よって、第１の光送信機２０ａや第２の光送信機２０ｂ等の光送信機からの受信信号の品質劣化が回避できる。
【００２７】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００２８】
【図１】実施形態に係る光受信機の構成を示す図である。
【図２】実施形態に係る光受信機の動作を説明するためのフローチャートである。
【図３】実施形態に係る光受信機の他の動作を説明するためのフローチャートである。
【符号の説明】
【００２９】
１…光通信システム、１０ａ…第１のＥＤＣ回路、１０ｂ…第２のＥＤＣ回路、１１…タップ、１２…セレクタ、１４…コントローラ、１６…記憶装置、１６ａ…第１のタップ係数データ、１６ｂ…第２のタップ係数データ、１８…ＬＤドライバ、１９…ＬＤ、２…光受信機、２０ａ…第１の光送信機、２０ｂ…第２の光送信機、２２…ＬＤドライバ、２４…ＦＰ型ＬＤ、２６…光カプラ、４…ＷＤＭ、６…ＰＤ、８…ＴＩＡ
【図１】
2009094894.tif 000003
【図２】
2009094894.tif 000004
【図３】
2009094894.tif 000005